(57)【要約】【課題】内槽の内底部に回転自在に配設した回転翼を有する洗濯乾燥機において、洗濯、乾燥行程での水や衣類の略水平方向でかつ外周方向の動きを少なくし、回転翼との摩擦による衣類の傷み、静電気の発生を抑える。【解決手段】筐体内に複数のサスペンションで支持した外槽内に内槽を回転自在に配設し、この内槽の内底部に回転翼２７を回転自在に配設し、内槽または回転翼２７をモータにより駆動し、温風送風手段により内槽内に温風を吹き込むよう構成する。回転翼２７は、外周方向に向かって高くなるすり鉢円形状の基盤２８の上に、中心から外周方向へ延びる複数本の羽根２９を有し、羽根２９の頂部３０から基盤２８へ向けての傾斜面３１の勾配を中心から外周までの各縦断面でほぼ均一にする。【選択図】  図１
2004173745.tif 000002
【特許請求の範囲】
【請求項１】
筐体内に複数のサスペンションで支持した外槽と、この外槽内に回転自在に配設した内槽と、この内槽の内底部に回転自在に配設した回転翼と、前記内槽または回転翼を駆動する駆動手段と、前記内槽内に温風を吹き込む温風送風手段とを備え、前記回転翼は、外周方向に向かって高くなるすり鉢円形状の基盤の上に、中心から外周方向へ延びる複数本の羽根を有し、前記羽根の頂部から前記基盤へ向けての傾斜面の勾配を中心から外周までの各縦断面でほぼ均一にした洗濯乾燥機。
【請求項２】
回転翼は、羽根の傾斜面を基盤から羽根の頂部へ円弧で上昇する凹曲面にした請求項１記載の洗濯乾燥機。
【請求項３】
回転翼は、羽根を回転翼の外周まで延設し、前記回転翼の基盤の外周面よりも高くなるようにした請求項１または２記載の洗濯乾燥機。
【発明の詳細な説明】
【０００１】
【発明の属する技術分野】
本発明は、内槽の内底部に回転自在に配設した回転翼を有する洗濯乾燥機に関するものである。
【０００２】
【従来の技術】
従来、この種の洗濯乾燥機は図８に示すように構成していた。以下、その構成について説明する。
【０００３】
図８に示すように、筐体１は、内部に複数のサスペンション２によって弾性的に吊り下げた外槽３を設け、脱水時の振動をサスペンション２によって吸収する構成としている。外槽３の内部には、回転中心軸を略鉛直方向に有し衣類を収容する内槽４を中空で２重構造とした洗濯・脱水軸５を中心に回転可能に配設し、内槽４の内底部に衣類を撹拌する回転翼６を回転自在に配設している。
【０００４】
回転翼６は、円形すり鉢状の基盤７と複数本の羽根８とで構成し、羽根８の頂部から基盤７への斜面の傾斜勾配は、中心部と外周部との間のほぼ中間点近傍位置から中心側に向かう部分を急に、また、中間点近傍位置から外側に向かう部分においては暫次ゆるやかにし、また、羽根８の幅は中心部分の幅をもっとも広くし、この幅の部分から外周に向けて幅を狭くしている。
【０００５】
また、内槽４の内部周壁には小孔（図示せず）を多数設けるとともに、上方には流体バランサ９を設けている。モータ（駆動手段）１０は、外槽３の底部に取り付け、洗濯または脱水時に回転力の伝達を洗濯・脱水軸５に切り換えるクラッチ１１と洗濯・脱水軸５を介して、内槽４または回転翼６に連結している。
【０００６】
循環ダクト１２は、伸縮自在の下部蛇腹状ホース１３を介して外槽３の下部に接続し、他端を乾燥用送風機１４の一端に接続している。乾燥用送風機１４の他端は、加熱手段であるヒータ１５を有する温風供給路１６に接続し、上部蛇腹状ホース１７を通って、内槽４へ繋がり、循環する経路を構成している。乾燥用送風機１４とヒータ１５とで温風送風手段を構成している。
【０００７】
外槽３には、外槽３の上面を気密的に覆う外槽カバー１８を設けており、この外槽カバー１８に伸縮自在の上部蛇腹状ホース１７からの温風噴出孔１９を開口している。また、この外槽カバー１８に中蓋２０を開閉自在に設け、衣類を出し入れするようにしている。
【０００８】
筐体カバー２１は筐体１の上部を覆うもので、開閉蓋２２を開閉自在に有し、制御装置２３を設けるとともに、内槽４に給水する給水弁２４を設けている。また、外槽３の底部に外槽３内に水を排水する排水弁２５を設けている。冷却用送風機２６は、筐体１の側面に取り付け、筐体１の内部に外槽３、循環ダクト１０などを冷却するように送風できるよう構成している。
【０００９】
制御装置２３は、モータ１０、クラッチ１１、乾燥用送風機１４、ヒータ１５、給水弁２４、排水弁２５、冷却用送風機２６などの動作を制御し、洗濯、すすぎ、脱水、乾燥の各行程を制御するように構成している（例えば、特許文献１参照）。
【００１０】
上記構成において動作を説明する。洗濯行程では、開閉蓋２２と中蓋２０を開けて、内槽４に衣類（洗濯物）と洗剤を投入し、運転を開始すると給水弁２４を開いて所定の水位まで給水した後、モータ１０を駆動する。このとき、伝達機構部のクラッチ１１を洗濯側に設定して、モータ１０の動力を洗濯・脱水軸５を介して回転翼６に伝達し、回転翼６が回転することで、羽根８が水を撹拌することにより水流が発生する。
【００１１】
また、内槽４の下層部の衣類は、直接に回転翼６の羽根８に引っかかり、略水平方向でかつ外周方向や上方向へ移動する。このようにして内槽４内の衣類を撹拌して、衣類どうし、または内槽４、回転翼６との接触によるこすれにより洗濯する。すすぎ行程でも同様にして動作し、衣類のすすぎを行う。
【００１２】
脱水行程では、排水弁２５を開いて内槽４内の水を排水した後、伝達機構部のクラッチ１１を脱水側に切り換えて、モータ１０の動力を洗濯・脱水軸５を介し内槽４に伝達して回転させ、衣類に遠心力を与えることにより、水分を衣類から分離することで行う。
【００１３】
乾燥行程では、排水弁２５を閉じて、モータ１０を駆動して回転翼６を回転させ、羽根８に衣類をひっかけて衣類に遠心力を与えることにより、衣類を外へはね飛ばすようにする。すると回転翼６の基盤７の傾斜面で衣類を上方へはね上げようとする力が働き（遠心力の分力）、衣類が撹拌される。この撹拌を繰り返しながら乾燥用送風機１４による送風とヒータ１５による発熱により、温風供給路１６、上部蛇腹状ホース１７を通して内槽４内へ温風を送り込む。
【００１４】
この温風は、衣類の水分を奪った後、内槽４から外槽３の内側へ出た後、下部蛇腹状ホース１３を通過して、循環ダクト１２へ至る。衣類の水分を奪って湿気を含んだ温風が、外槽３の内壁や循環ダクト１２内を通過しているとき、筐体１の側面に設置した冷却送風機２６による外部空気の流入で、外槽３や循環ダクト１２の外壁は冷却されることになり、その内部では、水分の結露が起こり、湿った温風は除湿されて乾燥用送風機１４へ戻る。この循環路で温風を循環させることにより、内槽４内の衣類を乾燥させることができる。
【００１５】
【特許文献１】
特開平１１−３０００７４号公報
【００１６】
【発明が解決しようとする課題】
このような従来の構成では、回転翼６の羽根８は、接触した水または衣類を略水平方向でかつ外周方向へ移動させるように傾斜させているため、衣類が略水平方向でかつ外周方向へ移動した際に、乾燥運転中に回転翼６との接触時間が長くなるために衣類が傷みやすくなり、乾燥の後半では衣類との摩擦が大きくなり、静電気が発生しやすくなるという問題があった。
【００１７】
また、衣類の量が多い場合は、衣類を羽根８にひっかけて遠心力で衣類を外へはね飛ばすのが難しく、その結果、基盤７の傾斜面で衣類を上方へはね上げる力が弱く、攪拌性能が落ちるため、洗浄むら、乾燥むらが発生しやすくなるという問題があった。
【００１８】
また、脱水行程では、内槽４を回転させ衣類に遠心力を与えることにより、水分を衣類から分離させるが、そのとき、衣類が内槽４内へ張り付いた状態になるため、回転翼６を回転させて衣類をはがす行程を行うが、衣類が少ないときにははがれにくく、その状態から乾燥を始めると衣類への温風の当たりが悪く、乾燥に時間がかかるという問題があった。
【００１９】
本発明は上記従来の課題を解決するもので、洗濯、乾燥行程での水や衣類の略水平方向でかつ外周方向の動きを少なくし、回転翼との摩擦による衣類の傷み、静電気の発生を抑えることを目的としている。
【００２０】
【課題を解決するための手段】
本発明は上記目的を達成するために、筐体内に複数のサスペンションで支持した外槽内に内槽を回転自在に配設し、この内槽の内底部に回転翼を回転自在に配設し、内槽または回転翼を駆動手段により駆動し、温風送風手段により内槽内に温風を吹き込むよう構成し、回転翼は、外周方向に向かって高くなるすり鉢円形状の基盤の上に、中心から外周方向へ延びる複数本の羽根を有し、羽根の頂部から基盤へ向けての傾斜面の勾配を中心から外周までの各縦断面でほぼ均一にしたものである。
【００２１】
これにより、洗濯、乾燥行程での水や衣類の略水平方向でかつ外周方向への動きを少なくすることができ、回転翼との摩擦による衣類の傷み、静電気の発生を抑えることができる。
【００２２】
【発明の実施の形態】
本発明の請求項１に記載の発明は、筐体内に複数のサスペンションで支持した外槽と、この外槽内に回転自在に配設した内槽と、この内槽の内底部に回転自在に配設した回転翼と、前記内槽または回転翼を駆動する駆動手段と、前記内槽内に温風を吹き込む温風送風手段とを備え、前記回転翼は、外周方向に向かって高くなるすり鉢円形状の基盤の上に、中心から外周方向へ延びる複数本の羽根を有し、前記羽根の頂部から前記基盤へ向けての傾斜面の勾配を中心から外周までの各縦断面でほぼ均一にしたものであり、洗濯、乾燥行程での水や衣類の略水平方向でかつ外周方向への動きを少なくすることができ、回転翼との摩擦による衣類の傷み、静電気の発生を抑えることができる。
【００２３】
請求項２に記載の発明は、上記請求項１に記載の発明において、回転翼は、羽根の傾斜面を基盤から羽根の頂部へ円弧で上昇する凹曲面にしたものであり、洗濯、乾燥行程で回転翼が回転するときに、羽根により直接に水や衣類を下からすくい上げる力が働き、衣類の上下移動が大きくなり、洗浄むら、乾燥むらを低減することができる。
【００２４】
請求項３に記載の発明は、上記請求項１または２に記載の発明において、回転翼は、羽根を回転翼の外周まで延設し、前記回転翼の基盤の外周面よりも高くなるようにしたものであり、衣類の量が少ないときでも、脱水後に内槽内へ張り付いた衣類がはがれやすくなり、乾燥時間を短縮することができる。
【００２５】
【実施例】
以下、本発明の実施例について、図面を参照しながら説明する。なお、従来例と同じ構成のものは同一符号を付して説明を省略する。
【００２６】
（実施例１）
図１および図２に示すように、回転翼２７は、回転中心軸を略鉛直方向に有し衣類を収容する内槽４の内底部に回転自在に配設し、衣類を撹拌するもので、外周方向に向かって高くなるすり鉢円形状の基盤２８の上に、中心から外周方向へ延びる４本の羽根２９を有し、羽根２９の頂部３０から基盤２８へ向けての傾斜面３１の勾配を中心から外周までの各縦断面でほぼ均一になるようにしている。
【００２７】
すなわち、基盤２８の中央部は洗濯・脱水軸５との連結部を設けているため山形を形成している。そして、基盤２８は外周へ向けて一旦低くなり、最下面を経て、さらに外周に向けて曲面を描いて高くなるすり鉢状に形成している。羽根２９は基盤２８上に形成され、中央部の山の頂点から始まり、基盤２８の曲面に沿って中心から外周まで水や衣類がまんべんなく引っかかるように必要な高さを設けている。また、外周付近では水平部３２を設け、同じ高さで外周まで延びる形状としている。
【００２８】
ここで、図３に示すように、羽根２９の断面はＡ〜Ｄ各部において、頂部３０から基盤２８へ向けての傾斜面３１の勾配を一定のθとしている。そのため、羽根２９の頂部３０から基盤２８までの距離が大きいところはすその幅が広くなり、逆に、羽根２９の頂部３０から基盤２８までの距離が小さいところはすその幅が狭くなる相関線３３が決定される。他の構成は従来例と同じである。
【００２９】
上記構成において動作を説明する。なお、洗濯、すすぎ、脱水、乾燥の各行程の基本的な動作は従来例と同じであるので説明を省略する。
【００３０】
洗濯行程では、回転翼２７を回転することで、水や衣類を回転翼２７の羽根２９に引っかけ撹拌して洗濯をする。このとき、図４に示すように、羽根２９の傾斜面３１に働く力Ｆは、傾斜面３１に対して略垂直方向に働く。一方、羽根２９の傾斜面３１の勾配は一定のθとしているため、水や衣類が羽根２９のどの部分に当たっても、斜め上方の（９０−θ）゜の方向へ力Ｆが働き、羽根２９に沿って略水平方向でかつ外周方向へ移動することが少なく、攪拌される。
【００３１】
この勾配θの角度は４２〜４５°にすることにより、衣類が上下方向へよく移動し、かつ、モータ１０へ過度の力がかかることなく、洗濯を行うことができることを発明者らは実験により確認している。
【００３２】
乾燥行程では、回転翼２７を回転することで、衣類を回転翼２７の羽根２９に引っかけて撹拌し乾燥する。このとき、上述したように、衣類が羽根２９のどの部分に当たっても、斜め上方の（９０−θ）゜の方向へ力Ｆが働き、羽根２９に沿って略水平方向でかつ外周方向へ移動することが少なく、衣類が上下に入れ換わる。
【００３３】
この撹拌を繰り返しながら衣類に均一に温風を当てながら乾燥を行うことにより、回転翼２７との摩擦による衣類の傷み、静電気の発生を抑えることができるとともに、乾燥時間を短縮することができる。
【００３４】
このように本実施例によれば、回転翼２７は、外周方向に向かって高くなるすり鉢円形状の基盤２８の上に、中心から外周方向へ延びる４本の羽根２９を有し、羽根２９の頂部３０から基盤２８へ向けての傾斜面３１の勾配を中心から外周までの各縦断面でほぼ均一になるようにしているので、洗濯、乾燥行程での水や衣類の略水平方向でかつ外周方向への動きを少なくすることができ、回転翼２７との摩擦による衣類の傷み、静電気の発生を抑えることができる。
【００３５】
（実施例２）
図５に示すように、回転翼３４は、内槽の内底部に回転自在に配設し、衣類を撹拌するもので、外周方向に向かって高くなるすり鉢円形状の基盤３５の上に、中心から外周方向へ延びる４本の羽根３６を有し、羽根３６の頂部３７から基盤３５へ向けての傾斜面３８を、図６に示すように、基盤３５から羽根３６の頂部３７へ円弧で上昇する凹曲面にしている。他の構成は上記実施例１と同じである。
【００３６】
上記構成において動作を説明する。なお、洗濯、すすぎ、脱水、乾燥の各行程の基本的な動作は従来例と同じであるので説明を省略する。
【００３７】
洗濯行程では、回転翼３４を回転することで、水や衣類を回転翼３４の羽根３６に引っかけ撹拌して洗濯をする。このとき、羽根３６に当たった水には、（９０−θ）゜の角度の方向に力が働くと同時に、図６の矢印ａで示すように、傾斜曲面に沿って上方へと流れる動きが発生するため、内槽内の水が上下によく循環し、洗浄効果を高めることができる。
【００３８】
乾燥行程では、回転翼３４を回転することで、衣類を回転翼３４の羽根３６に引っかけ撹拌して乾燥する。このとき、羽根３６に当たった衣類には、（９０−θ）゜の角度の方向に力が働くと同時に、図６の矢印ａで示すように、傾斜曲面に沿って上方へかきあげる動きが発生し、より衣類を上方へと勢いよく移動させることができる。
【００３９】
このように本実施例によれば、回転翼３４の羽根３６の傾斜面３８を基盤３５から羽根３６の頂部３７へ円弧で上昇する凹曲面にしたので、洗濯、乾燥行程で回転翼３４が回転するときに、羽根３６により直接に水や衣類を下からすくい上げる力が働き、衣類の上下移動が大きくなり、洗浄むら、乾燥むらを低減することができる。
【００４０】
（実施例３）
図７に示すように、回転翼３９は、内槽の内底部に回転自在に配設し、衣類を撹拌するもので、外周方向に向かって高くなるすり鉢円形状の基盤４０の上に、中心から外周方向へ延びる複数本の羽根４１を有し、羽根４１を回転翼３９の外形まで延設し、基盤４０の外周面よりも高さｈだけ高くなるようにしている。
【００４１】
また、羽根４１の外周部付近では水平部４２を設けて、モータ１０へ過度の力がかからないように、また、強度的に問題がないように形成し、水平部４２の先端部４２ａを円弧状としている。他の構成は上記実施例１または２と同じである。
【００４２】
また、羽根４１の高さｈは、少量の衣類（約１ｋｇ）をはがすのに最適な高さに設定する。なぜなら、衣類が多いときは自重である程度衣類が内槽からはがれるのと、衣類が多いときにあまり羽根４１の高さｈが高いと、羽根４１に過度の力が働きモータ１０の負荷が大きくなるからである。発明者らは、羽根４１の高さｈを７ｍｍ〜１５ｍｍにしたときに衣類が少量でも衣類を内槽からはがすことができ、また、衣類が多いときでも不具合がないことを実験により確認している。
【００４３】
上記構成において動作を説明する。なお、洗濯、すすぎ、脱水、乾燥の各行程の基本的な動作は従来例と同じであるので説明を省略する。
【００４４】
脱水行程で、内槽を高速で回転させ、衣類に遠心力を与えて脱水すると、衣類は内槽内へ張り付いた状態となる。つづいて、乾燥行程に移行するが、このとき、回転翼３９を回転させて、内槽内へ張り付いた衣類を回転翼３９の羽根４１の外周先端が引っ掛けることにより、衣類を内槽からはがすことができ、回転翼３９を回転することで、内槽からはがした衣類を回転翼３９の羽根４１に引っかけ撹拌して乾燥する。これにより、乾燥時間を短縮することができる。
【００４５】
このように本実施例によれば、回転翼３９の羽根４１を回転翼３９の外周まで延設し、回転翼３９の基盤４０の外周面よりも高くなるようにしたので、衣類の量が少ないときでも、脱水後に内槽内へ張り付いた衣類がはがれやすくなり、乾燥時間を短縮することができる。
【００４６】
【発明の効果】
以上のように、本発明の請求項１に記載の発明によれば、内槽の内底部に回転自在に配設した回転翼は、外周方向に向かって高くなるすり鉢円形状の基盤の上に、中心から外周方向へ延びる複数本の羽根を有し、羽根の頂部から基盤へ向けての傾斜面の勾配を中心から外周までの各縦断面でほぼ均一にしたから、洗濯、乾燥行程での水や衣類の略水平方向でかつ外周方向への動きを少なくすることができ、回転翼との摩擦による衣類の傷み、静電気の発生を抑えることができる。
【図面の簡単な説明】
【図１】本発明の第１の実施例の洗濯乾燥機の回転翼の斜視図
【図２】同洗濯乾燥機の断面図
【図３】（ａ）同洗濯乾燥機の回転翼の断面図
（ｂ）同洗濯乾燥機の回転翼のＡ−Ａ線断面図
（ｃ）同洗濯乾燥機の回転翼のＢ−Ｂ線断面図
（ｄ）同洗濯乾燥機の回転翼のＣ−Ｃ線断面図
（ｅ）同洗濯乾燥機の回転翼のＤ−Ｄ線断面図
【図４】同洗濯乾燥機の回転翼の羽根に働く力の説明図
【図５】本発明の第２の実施例の洗濯乾燥機の回転翼の斜視図
【図６】同洗濯乾燥機の回転翼の羽根の断面図
【図７】本発明の第３の実施例の洗濯乾燥機の回転翼の断面図
【図８】従来の洗濯乾燥機の断面図
【符号の説明】
１  筐体
２  サスペンション
３  外槽
４  内槽
１１  モータ（駆動手段）
１４  乾燥用送風機（温風送風手段）
１５  ヒータ（温風送風手段）
２７  回転翼
２８  基盤
２９  羽根
３０  頂部
３１  傾斜面
【図１】
2004173745.tif 000003
【図２】
2004173745.tif 000004
【図３】
2004173745.tif 000005
【図４】
2004173745.tif 000006
【図５】
2004173745.tif 000007
【図６】
2004173745.tif 000008
【図７】
2004173745.tif 000009
【図８】
2004173745.tif 000010